(57)【特許請求の範囲】
【請求項１】
複数の導電コンタクトが多極状をなすように配置された本体ハウジングと、その本体ハウジング側に設けられた軸受け部と、当該軸受け部に支承された回動軸を中心として開閉操作される開閉蓋部材と、を備え、
前記開閉蓋部材を開放した状態の本体ハウジングに信号伝送媒体の端末部を載置した後に前記開閉蓋部材を閉塞することによって前記信号伝送媒体を前記導電コンタクトに接触させるように構成された電気コネクタにおいて、
前記軸受け部は、前記開閉蓋部材の回動軸が当該回動軸と略直交する方向に移動可能に遊嵌される長孔形状を備え、その回動軸の移動とともに前記開閉蓋部材が往復移動されるように構成され、
前記導電コンタクトが、前記本体ハウジングに載置された前記信号伝送媒体の両表面を挟んだ両側に配置される第１及び第２のビームを有し、
前記開閉蓋部材が一方向に移動したときに当該蓋部材の一部が、前記導電コンタクトの第１のビームと第２のビームとの間に挿入されるように構成されていることを特徴とする電気コネクタ。
【請求項２】
前記導電コンタクトにおける前記第１及び第２のビームの一方に、前記信号伝送媒体の一方の表面に接触する接点部が設けられていることを特徴とする請求項１記載の電気コネクタ。
【請求項３】
前記導電コンタクトにおける前記第１及び第２のビームの他方は、前記開閉蓋部材の一部に対して前記本体ハウジングを介して接触可能となるように配置されていることを特徴とする請求項１記載の電気コネクタ。
【請求項４】
前記開閉蓋部材が、金属材料から形成されていることを特徴とする請求項１記載の電気コネクタ。
【請求項５】
前記軸受け部が、前記本体ハウジングに取り付けられて印刷配線基板に半田接合されるホールドダウンに設けられていることを特徴とする請求項１記載の電気コネクタ。
【請求項６】
前記ホールドダウンには、前記開閉蓋部材の移動を案内するガイド部が設けられていることを特徴とする請求項５記載の電気コネクタ。
【請求項７】
前記ホールドダウン及び開閉蓋部材には、前記開閉蓋部材を一定位置に保持するロック部が設けられていることを特徴とする請求項４記載の電気コネクタ。
【請求項８】
前記本体ハウジングに、前記信号伝送媒体の載置位置を位置合わせする媒体案内部が設けられたものであって、
前記媒体案内部には、当該媒体案内部により位置合わせされた前記信号伝送媒体と軽嵌合する媒体仮保持部が設けられていることを特徴とする請求項１記載の電気コネクタ。
【発明の詳細な説明】
【技術分野】
【０００１】
本発明は、開閉蓋部材を開放させた状態で信号伝送媒体を本体ハウジングに載置する構成になされた電気コネクタに関する。
【背景技術】
【０００２】
一般に、種々の電気機器等において、フレキシブル・プリンテッド・サーキット（ＦＰＣ）や、フレキシブル・フラット・ケーブル（ＦＦＣ）等の各種信号伝送媒体を電気的に接続するために種々の電気コネクタが広く用いられている。例えば、下記の特許文献１において提案されている電気コネクタは、印刷配線基板上に実装されて使用されるものであるが、開閉蓋部材を開放方向に回動操作して本体ハウジングの内部を開放状態としてからＦＰＣやＦＦＣ等の信号伝送媒体を任意の方向から載置することができるように構成されている。
【０００３】
より具体的には、複数の導電コンタクトが多極状に配置された本体ハウジング側に開閉蓋部材が回動可能に取り付けられており、その開閉蓋部材を開放位置まで回動させることによって本体ハウジングの内部が開放状態になり、その開放された本体ハウジングの内部の媒体受け面に対して、例えば略垂直の方向からＦＰＣやＦＦＣ等の信号伝送媒体の端末部が載置される。信号伝送媒体が本体ハウジングに載置された後に開閉蓋部材は閉塞位置まで回動され、それによって信号伝送媒体が導電コンタクトの接点部に接触される。このような開閉蓋部材を有する電気コネクタを用いれば、信号伝送媒体を任意の方向から接続することが可能となることから、本体ハウジングの前端縁部に設けられた細長状の開口部を通して信号伝送媒体を略水平方向に挿入するようにした型式の電気コネクタよりも、より狭いスペース内での作業が可能となるとともに、水平方向への挿入が不可能な短い長さの信号伝送媒体の接続も可能となり、さらに信号伝送媒体の引っ張り力に対する保持性が向上されるという利点がある。
【０００４】
しかしながら、上述したように本体ハウジングを開放可能とする開閉蓋部材を設けた構成では、信号伝送媒体（ＦＰＣやＦＦＣ等）における非開放側の載置面（下面）に対してのみ導電コンタクトの接点部が圧接される構成になされることとなる。そのため、例えば近年における多極化等に伴って電気コネクタが幅広状に長尺化されて本体ハウジングの剛性が低下する傾向になってくると、上述した導電コンタクトによる片側（下方側）からのみの圧接負荷力によって本体ハウジングの長手方向中央部分が変形し易くなり、信号伝送媒体と導電コンタクトとの電気的な接続状態が不安定になるおそれがある。
【０００５】
このような問題点に対して下記の特許文献２にかかる電気コネクタでは、導電コンタクトに上方ビームを配置し、その上方ビームによって信号伝送媒体を上方側から押さえ込む構成が採用されていて、そのようにすれば導電コンタクトの下方ビームに設けられた接点部による信号伝送媒体の上方変位が抑えられこととなる。しかしながら、このものでは、導電コンタクトの下方ビームと上方ビームとの間に信号伝送媒体を挿入する作業が必要となるため、信号伝送媒体の接続作業性が良好でないという問題がある。
【先行技術文献】
【特許文献】
【０００６】
【特許文献１】特開２００２−２３１３４７号公報
【特許文献２】特開２００４−７１３１３号公報
【発明の開示】
【発明が解決しようとする課題】
【０００７】
そこで本発明は、簡易な構成で、信号伝送媒体の接続作業性を良好に維持しつつ、信号伝送媒体と導電コンタクトとの電気的な接続状態を安定化することができるようにした電気コネクタを提供することを目的とする。
【課題を解決するための手段】
【０００８】
上記目的を達成するため本発明では、複数の導電コンタクトが多極状をなすように配置された本体ハウジングと、その本体ハウジング側に設けられた軸受け部と、当該軸受け部に支承された回動軸を中心として開閉操作される開閉蓋部材と、を備え、前記開閉蓋部材を開放した状態の本体ハウジングに信号伝送媒体の端末部を載置した後に前記開閉蓋部材を閉塞することによって前記信号伝送媒体を前記導電コンタクトに接触させるように構成された電気コネクタにおいて、前記軸受け部は、前記開閉蓋部材の回動軸が当該回動軸と略直交する方向に移動可能に遊嵌される長孔形状を備え、その回動軸の移動とともに前記開閉蓋部材が往復移動されるように構成され、前記導電コンタクトが、前記本体ハウジングに載置された前記信号伝送媒体の両表面を挟んだ両側に配置される第１及び第２のビームを有し、前記開閉蓋部材が一方向に移動したときに当該蓋部材の一部が、前記導電コンタクトの第１ビームと第２ビームとの間に挿入されるように構成されている。
【０００９】
このような構成を有する本発明によれば、開閉蓋部材を開放状態として本体ハウジングに信号伝送媒体を載置した後に、開閉蓋部材が導電コンタクトの第１のビームと第２のビームとの間に挿入されるため、本体ハウジングの内部を完全に開放された状態で信号伝送媒体の載置作業が導電コンタクト等に邪魔されることなく容易に行われる。また、閉塞状態とした開閉蓋部材を、例えば指先で容易に移動させて第１のビームと第２のビームとの間に挿入させることによって、その第１及び第２のビームの一方側から信号伝送媒体に負荷される圧接力が開閉蓋部材を介して第１及び第２のビームの他方側に受けられ、その結果、信号伝送媒体の変位が抑えられることとなって、信号伝送媒体と導電コンタクトとの電気的な接続状態が安定的に維持される。
【００１０】
また、本発明においては、前記導電コンタクトにおける前記第１及び第２のビームの一方に、前記信号伝送媒体の一方の表面に接触する接点部が設けられた構成とすることが可能である。
【００１１】
また、本発明においては、前記導電コンタクトにおける前記第１及び第２のビームの他方は、前記開閉蓋部材の一部に対して前記本体ハウジングを介して接触可能となるように配置されていることが望ましい。
【００１２】
このような構成を有する本発明によれば、第１及び第２のビームの一方側から信号伝送媒体に負荷される圧接力が、本体ハウジングを介して第１及び第２のビームの他方側に伝達されることから、導電コンタクトに加えて本体ハウジングによる支持構造が構成されることとなって電気的な接続強度が向上される。
【００１３】
また、本発明においては、前記開閉蓋部材が金属材料から形成されていることが望ましい。
【００１４】
このような構成を有する本発明によれば、開閉蓋部材が導電性を有することから、例えば接地用のグランド部材や、導電コンタクトのシールド部材として開閉蓋部材が用いられる。
【００１５】
また、本発明における前記軸受け部は、前記本体ハウジングに取り付けられて印刷配線基板に半田接合されるホールドダウンに設けられていることが望ましい。
【００１６】
このような構成を有する本発明によれば、印刷配線基板に半田接合されるホールドダウンによって開閉蓋部材の軸受け部が直接的かつ強固に保持される。
【００１７】
また、本発明における前記ホールドダウンには、前記開閉蓋部材の移動を案内するガイド部が設けられていることが望ましい。
【００１８】
このような構成を有する本発明によれば、開閉蓋部材の移動操作が円滑かつ確実に行われる。
【００１９】
また、本発明における前記ホールドダウン及び開閉蓋部材には、前記開閉蓋部材を一定位置に保持するロック部が設けられていることが望ましい。
【００２０】
このような構成を有する本発明によれば、開閉蓋部材が移動後の一定位置に確実に保持されることとなり、信号伝送媒体と導電コンタクトとの電気的な接続状態が、より安定的に維持される。
【００２１】
また、本発明においては、前記本体ハウジングには、前記信号伝送媒体の載置位置を位置合わせする媒体案内部が設けられ、その媒体案内部には、当該媒体案内部により位置合わせされた前記信号伝送媒体と軽嵌合する媒体仮保持部が設けられていることが望ましい。
【００２２】
このような構成を有する本発明によれば、本体ハウジングに対して信号伝送媒体が媒体案内部により容易かつ確実に載置されるとともに、媒体案内部の媒体仮保持部により保持された信号伝送媒体に対して開閉蓋部材の移動操作が円滑かつ確実に行われるとともに、信号伝送媒体の係止作用によって、当該信号伝送媒体の引張保持強度が向上されるようになっている。また、そのときの信号伝送媒体は、導電コンタクトの接点部に接触した後に移動することなく元の載置位置に維持されることから、信号伝送媒体に形成された配線パターンと導電コンタクトの接点部との擦れ等による、例えばメッキ剥がれなどの発生が防止される。
【発明の効果】
【００２３】
以上述べたように本発明にかかる電気コネクタは、本体ハウジング側の軸受け部に開閉操作可能に支承させた開閉蓋部材を開放状態として、本体ハウジングに信号伝送媒体を載置し、その後に開閉蓋部材を導電コンタクトの第１のビームと第２のビームとの間に挿入させることにより、本体ハウジングの内部が完全に開放された状態で信号伝送媒体の載置作業が導電コンタクト等に邪魔されることなく容易に行われるとともに、閉塞状態とした開閉蓋部材を、例えば指先で容易に移動させて第１のビームと第２のビームとの間に挿入させることによって、その第１及び第２のビームの一方側から信号伝送媒体に負荷される圧接力を、開閉蓋部材を介して第１及び第２のビームの他方側に受けさせ、信号伝送媒体の変位を抑えて信号伝送媒体と導電コンタクトとの電気的な接続状態を安定的に維持させるように構成したものであるから、簡易な構成で、信号伝送媒体の接続作業性を良好に維持しつつ、信号伝送媒体と導電コンタクトとの電気的な接続状態を安定化することができ、電気コネクタの品質及び信頼性を低廉かつ大幅に向上させることができる。
【図面の簡単な説明】
【００２４】
【図１】本発明の一実施形態にかかる電気コネクタを表したものであって、開閉蓋部材を開放位置に回動して信号伝送媒体を後方上方位置に配置した状態の全体構成を前方側から表した外観斜視説明図である。
【図２】図１に示された状態から本体ハウジングに信号伝送媒体を載置した状態を表した外観斜視説明図である。
【図３】図２中の符号IIIで示された電気コネクタ端部の構造を拡大して表した外観斜視説明図である。
【図４】図２に示された状態から開閉蓋部材を閉塞位置に回動させた状態を表した外観斜視説明図である。
【図５】図４中の符号Ｖで示された電気コネクタ端部の構造を拡大して表した外観斜視説明図である。
【図６】図４に示された状態から開閉蓋部材を後方側に押し込むように移動させた状態を表した外観斜視説明図である。
【図７】図６中の符号VIIで示された電気コネクタ端部の構造を拡大して表した外観斜視説明図である。
【図８】図７に示された電気コネクタ端部の一部を破断して内部構造を表した外観斜視説明図である。
【図９】図２中の符号 IX−IX 線で示された電気コネクタ中央部分における横断面説明図である。
【図１０】図２中の符号 X−X 線で示された電気コネクタ端部における横断面説明図である。
【図１１】図４中の符号 XI−XI 線で示された電気コネクタ端部における横断面説明図である。
【図１２】図４中の符号 XII−XII 線で示された電気コネクタ端部における横断面説明図である。
【図１３】図６中の符号 XIII−XIII 線で示された電気コネクタ端部における横断面説明図である。
【図１４】図６中の符号 XIV−XIV 線で示された電気コネクタ端部における横断面説明図である。
【図１５】図６に示された電気コネクタ端部を部分的に断面して、内部構造を拡大して表した外観斜視説明図である。
【図１６】図１５に示された電気コネクタ端部における横断面説明図である。
【発明を実施するための形態】
【００２５】
以下、フレキシブル・プリンテッド・サーキット（ＦＰＣ）やフレキシブル・フラット・ケーブル（ＦＦＣ）等からなる信号伝送媒体の接続を行うために印刷配線基板上に実装して使用される電気コネクタに本発明を適用した実施の形態を図面に基づいて詳細に説明する。
【００２６】
すなわち、図１〜図１６に示されている電気コネクタ１０は、印刷配線基板Ｂの表面上の適宜の位置に半田付けにより実装されて使用されるものであって、当該電気コネクタ１０には、信号伝送媒体（ＦＰＣ又はＦＦＣ等）Ｆの端末部分が接続されるようになっている。この電気コネクタ１０の本体ハウジング１１には、開閉蓋部材としての開閉蓋カバー１２が開閉されるように取り付けられており、その開閉蓋カバー１２が、特に図１及び図２に示されているように本体ハウジング１１から立ち上げられた開放位置に回動された状態で、信号伝送媒体Ｆの端末部分が本体ハウジング１１上に載置される構成になされている。信号伝送媒体Ｆが本体ハウジング１１に載置された後の開閉蓋カバー１２は、図４に示されているようにコネクタ前方側部分に向かって押し倒されるようにして閉塞位置まで回動される構成になされている。
【００２７】
このような電気コネクタ１０の本体ハウジング１１は、中空枠体状をなす絶縁部材から形成されているが、その本体ハウジング１１は、信号伝送媒体（ＦＰＣ又はＦＦＣ等）Ｆの横幅方向に沿って細長状に延在するように形成されている。この本体ハウジング１１の横幅方向を、以下において「コネクタ長手方向」と呼ぶこととする。また、上述した印刷配線基板Ｂの表面を含む平面を「水平面」とするとともに、その「水平面」と平行な方向を「水平方向」、「水平面」と直交する方向を「上下方向」とし、「水平面」内において前記「コネクタ長手方向」と直交する方向を「コネクタ前後方向」と呼ぶこととする。
【００２８】
そして、その本体ハウジング１１は、コネクタ前後方向における前方側領域（図９の右方側領域）が上方に開放された構造になされており、その開放された前方側領域の底面を構成するように設けられた媒体受面１１ａ上に、上述した信号伝送媒体（ＦＰＣ又はＦＦＣ等）Ｆの端末部分が上方側から載置されるようになっている。この本体ハウジング１１の媒体受面１１ａ上に載置された信号伝送媒体Ｆの端末部分は、上述した開閉蓋部材としての開閉蓋カバー１２が閉塞されることによって上方側から覆われる構成になされている。
【００２９】
ここで、上述した本体ハウジング１１の媒体受面１１ａのコネクタ長手方向における両端部分には、特に図３に示されているように、信号伝送媒体（ＦＰＣ又はＦＦＣ等）Ｆの載置位置を位置合わせするための媒体案内凸部１１ｂ，１１ｂが設けられている。これらの媒体案内凸部１１ｂ，１１ｂには、前記信号伝送媒体Ｆのコネクタ長手方向における両端部分に切り欠き形成された係合凹部Ｆａ，Ｆａが嵌り込む構成になされていて、上述したように信号伝送媒体Ｆが本体ハウジング１１の媒体受面１１ａ上に載置されるにあたって、当該信号伝送媒体Ｆの全体が、コネクタ長手方向及びコネクタ前後方向に位置合わせされるようになっている。このように媒体案内凸部１１ｂと係合凹部Ｆａとが嵌り込む構成によって信号伝送媒体Ｆを係止する作用が得られることから、信号伝送媒体Ｆの引張保持強度を上げることができる。
【００３０】
また、上述した各媒体案内凸部１１ｂには、当該媒体案内凸部１１ｂにより位置合わせされた信号伝送媒体（ＦＰＣ又はＦＦＣ等）Ｆの上面側に軽嵌合する媒体仮保持部１１ｃがそれぞれ対向するように設けられている。その媒体仮保持部１１ｃは、本体ハウジング１１に載置された信号伝送媒体Ｆの上面に張り出すように配置された爪状部材から形成されており、その爪状部材が信号伝送媒体Ｆを上面側から軽く押さえ込むことによって信号伝送媒体Ｆを仮保持するように構成されている。またその媒体仮保持部１１ｃの上面側は、案内機能を備えた傾斜面に形成されていて、その傾斜面に信号伝送媒体Ｆの一部が当接することによって、上方側から下方側に向かう信号伝送媒体Ｆの載置動作が支障なく行われるようになっている。また、その信号伝送媒体Ｆが所定の載置位置まで下降された際には、上述したように信号伝送媒体Ｆの上面に媒体仮保持部１１ｃが張り出すように動作することによって、いわゆる嵌合のクリック感が得られるようになっている。
【００３１】
上述した開閉蓋カバー（開閉蓋部材）１２は、コネクタ長手方向の両端部分に回動軸１２ａ，１２ａを有しており、それらの回動軸１２ａ，１２ａが、前記本体ハウジング１１のコネクタ長手方向の両端部分に設けられた軸受け部１３，１３のそれぞれに回動自在に支承されていることによって、当該回動軸１２ａ，１２ａを中心として開閉蓋カバー１２の全体が、上述した開放位置（図２参照）と、閉塞位置（図４参照）との間で回動可能となるように支持されている。
【００３２】
ここで、本実施形態にかかる軸受け部１３，１３は、本体ハウジング１１のコネクタ長手方向の両端部分に取り付けられたホールドダウン１４，１４に一体的に形成された構成になされているが、それらの各ホールドダウン１４の下端縁部、つまり上述した印刷配線基板Ｂ上に載置される端縁部には、略水平方向に延在する接続脚板１４ａが複数体にわたって略直角に折り曲げ形成されている。それらの各接続脚板１４ａは、コネクタ長手方向の両端縁部から外方側に向かって突出するように設けられており、それらの各接続脚板１４ａが印刷配線基板Ｂ上の適宜の位置に載置された状態で半田接合されて、グランド接続が行われるとともに、コネクタ全体の固定が行われるようになっている。
【００３３】
また、本実施形態にかかる開閉蓋カバー（開閉蓋部材）１２は、薄板状の金属製部材を適宜の形状に折り曲げ成形したものであって、当該開閉蓋カバー１２のコネクタ長手方向における両側の端縁部分には、前記本体ハウジング１１及びホールドダウン１４を外方側から覆うように被せられる側端板１２ｂ，１２ｂがフランジ壁状をなすように設けられている。それらの側端板１２ｂ，１２ｂは、開閉蓋カバー１２の回動中心に向かって延出するように設けられており、当該側端板１２ｂ，１２ｂの延出側の先端部分に、上述した回動軸１２ａ，１２ａが、コネクタ長手方向の内方側に向かって突出するように設けられている。
【００３４】
一方、上述したようにホールドダウン１４，１４に一体的に設けられた軸受け部１３，１３のそれぞれには、上述した回動軸１２ａ，１２ａが遊嵌状態で挿入される透孔が形成されている。この軸受け部１３の透孔は、略コネクタ前後方向に沿うように延在する長穴形状に形成されており、当該軸受け部１３の長穴形状に沿って、前記回動軸１２ａを含む開閉蓋カバー（開閉蓋部材）１２の全体が、略コネクタ前後方向に移動可能となるように構成されている。
【００３５】
そして、そのときの軸受け部１３の透孔の長穴形状は、当該透孔の延在方向（略コネクタ前後方向）の両端部分において比較的大径状をなすように形成されているとともに、それら両端の大径状部分を略水平方向に繋いでいる途中部分は、比較的小径状をなすように形成されている。一方、このような軸受け部１３の透孔の長穴形状に対して、上述した開閉蓋カバー（開閉蓋部材）１２の回動軸１２ａは、大径部分と小径部分とを円周方向に交互に有する異形の断面形状を備えている。そして、その回動軸１２ａの大径部分は、上述した軸受け部１３の両端に形成された大径状部分にのみ遊嵌可能になされており、軸受け部１３の延在方向途中部分に形成された小径部分（細長延在部分）には嵌合不可能となっているとともに、前記回動軸１２ａの小径部分は、軸受け部１３の小径部分及び大径状部分の双方に対して遊嵌可能となっている。
【００３６】
ここで、軸受け部１３の小径部分に回動軸１２ａの小径部分が遊嵌されていることによりコネクタ前後方向に移動可能となるのは、図１２及び図１４に示されているように、開閉蓋カバー（開閉蓋部材）１２が本体ハウジング１１に沿うように閉塞位置に回動されている場合に限られており、その状態においては、前記回動軸１２ａの小径部分が軸受け部１３の小径部分の上下両縁に沿うようにしてコネクタ前後方向に移動可能となるが、当該回動軸１２ａの大径部分の存在によって回動することができない構成になされている。
【００３７】
このように開閉蓋カバー（開閉蓋部材）１２は、本体ハウジング１１に対して閉塞位置にある場合にのみコネクタ前後方向に移動可能となり、図１２に示された前方初期位置と、図１４に示された後方押込位置との間で往復移動される構成になされているとともに、軸受け部１３の両端大径状部分に回動軸１２ａが遊嵌された場合には、当該回動軸１２ａを含む閉蓋カバー１２の全体が回動可能となる構成になされている。
【００３８】
ここで、上述したように開閉蓋カバー（開閉蓋部材）１２が、前方初期位置（図１２参照）から後方押込位置（図１４参照）に向かって移動されるにあたっては、当該開閉蓋カバー１２の後端部分（図１６の左端部分）に設けられた挿入突板部１２ｃが、前記ホールドダウン１４側に設けられた挿入ガイド部１４ｂに案内されるようになっている。すなわち、特に図１５及び図１６に示されているように、前記ホールドダウン１４のコネクタ長手方向における内方側の端縁部は、前記開閉蓋カバー１２の挿入突板部１２ｃの上方側を延在するように設けられており、当該ホールドダウン１４の内方側端縁部の途中位置に挿入ガイド部１４ｂが下方側に突出するように設けられている。
【００３９】
このホールドダウン１４に設けられた挿入ガイド部１４ｂは、開閉蓋カバー（開閉蓋部材）１２側に向かって張り出す爪状部材から形成されており、その爪状部材によって開閉蓋カバー１２の挿入突板部１２ｃに上方側から接触することによって、当該開閉蓋カバー１２が下方側に押し込まれながら後方側（図１６の左方側）に移動されていき、特に図１６に示された後端位置において本体ハウジング１１の内部に収容されるようになっている。この収容状態の詳細については後述することとする。
【００４０】
一方、上述したように軸受け部１３の両端部分に設けられた大径状部分に回動軸１２ａが移動された場合には、回動軸１２ａが回動可能状態となることから当該回動軸１２ａとともに開閉蓋カバー（開閉蓋部材）１２の全体が回動可能となる。従って、この場合の開閉蓋カバー１２は、図２のように本体ハウジング１１から立ち上げられた開放位置と、図４のように本体ハウジング１１に沿って配置された閉塞位置との間で回動により往復移動されるが、当該開閉蓋カバー１２が後方押込位置（図１４参照）にある場合には、ロック部によって回動できないようになっている。
【００４１】
すなわち、その開閉蓋カバー（開閉蓋部材）１２に対応して設けられたロック部は、前記ホールドダウン１４の前端部分に設けられた係止突部１４ｃと、開閉蓋カバー１２の回動側端縁部に設けられた係合フック部１２ｄとからなり、閉塞位置にある開閉蓋カバー１２が後方押込位置（図１４参照）に移動された際に、当該開閉蓋カバー１２側の係合フック部１２ｄがホールドダウン１４側の係止突部１４ｃに下方側から嵌合状態になされ、それによって開閉蓋カバー１２が、特に回動不可能となるように一定位置に保持される構成になされている。
【００４２】
さらに、前記本体ハウジング１１の内部には、適宜の形状の薄板状金属製部材により形成された導電コンタクト１５が複数体にわたって装着されている。それらの各導電コンタクト１５は、本体ハウジング１１の内部においてコネクタ長手方向に適宜の間隔ピッチをなして多極状に配置されていて、各々の導電コンタクト１５が、信号伝送用又はグランド接続用のいずれかとして、印刷配線基板Ｂ上に形成された導電路（図示省略）に対して半田接合により実装されるようになっている。
【００４３】
それらの導電コンタクト１５は、上述した本体ハウジング１１の内部に挿入されることにより装着されているが、当該各導電コンタクト１５は、本体ハウジング１１に載置してセットされた信号伝送媒体（ＦＰＣ又はＦＦＣ等）Ｆの配線パターン（図示省略）に対応した位置に配置されている。それらの信号伝送媒体Ｆに形成された配線パターンは、信号伝送用導電路（信号線パッド）又はシールド用導電路（シールド線パッド）を適宜のピッチ間隔で配置したものである。
【００４４】
前記各導電コンタクト１５は、信号伝送媒体（ＦＰＣ又はＦＦＣ等）Ｆの延在方向であるコネクタ前後方向（図１１の左右方向）に沿って略平行に延在する一対の細長状ビーム部材からなる第１のビーム（下ビーム）１５ａと、第２のビーム（上ビーム）１５ｂと、をそれぞれ有している。これらの第１のビーム１５ａ、及び第２のビーム１５ｂは、上述した本体ハウジング１１の内部空間において図示上下方向に適宜の間隔をなして互いに対向するように配置されていて、それら両ビーム１５ａ，１５ｂどうしが、当該両ビーム１５ａ，１５ｂの延在方向における後端部分において、図示上下方向に延在する連結支柱ビーム１５ｃによって一体的に連結されている。
【００４５】
このときの連結支柱ビーム１５ｃは、細幅の板状部材から形成されており、当該連結支柱ビーム１５ｃから上述した両ビーム１５ａ，１５ｂが、コネクタ長手方向の前方側（図１１の右方側）に向かって片持ち状に延出するように構成されている。
【００４６】
上述した両ビーム１５ａ，１５ｂのうちの第２のビーム（上ビーム）１５ｂは、前記本体ハウジング１１の内部に挿入されて固定状態となるように取り付けられている。それに対して、第１のビーム（下ビーム）１５ａは、上述したようにコネクタ長手方向の後端部分が本体ハウジング１１に固定された状態に取り付けられているが、コネクタ長手方向の前方側に片持ち状に延出している部位は、弾性的な可撓性を有する構成になされている。その第１のビーム１５ａの前方側への延出部分は、上述した連結支柱ビーム１５ｃ又はその近傍を回動中心として揺動可能となるように構成されていて、そのときの第１のビーム１５ａの揺動は、図１１の紙面内において上下の方向に行われるようになっている。
【００４７】
また、その第１のビーム（下ビーム）１５ａの前端部（図１１の右端部）には、上述した信号伝送媒体（ＦＰＣ又はＦＦＣ等）Ｆの図示下面側に形成された配線パターン（信号伝送用又はシールド用の導電路）のいずれかに接続される接点凸部１５ａ１が、図示上向きの突形状をなすように設けられている。さらに、この第１のビーム１５ａの後端部分（図１１の左端部分）には、印刷配線基板Ｂ上に形成された導電路（図示省略）に半田接続される基板接続部１５ａ２が、後方側（図１１の左方側）に向かって突出するように設けられている。
【００４８】
一方、それらの第１のビーム（下ビーム）１５ａと第２のビーム（上ビーム）１５ｂとの間部分には、上述した本体ハウジング１１の一部を構成しているビーム介在片部１１ｄが形成されている。そのビーム介在片部１１ｄには、前方側（図１１の右方側）に向かって開放された凹状空間部が形成されており、特に図１３に示されているように、閉塞位置にある開閉蓋カバー（開閉蓋部材）１２が後方押込位置に移動されたときに、当該開閉蓋カバー１２の挿入突板部１２ｃがビーム介在片部１１ｄの凹状空間部内に収容される構成になされている。
【００４９】
このように、開閉蓋カバー（開閉蓋部材）１２が信号伝送媒体（ＦＰＣ又はＦＦＣ等）Ｆの延在方向（コネクタ前後方向）に移動することによって当該開閉蓋カバー１２の一部である挿入突板部１２ｃが、導電コンタクト１５の第１のビーム（下ビーム）１５ａと、第２のビーム（上ビーム）１５ｂとの間に挿入されるように構成されているが、より具体的には、まず図１１のように閉塞位置にある開閉蓋カバー１２が前方初期位置に移動されている場合には、当該開閉蓋カバー１２の挿入突板部１２ｃは、前記第１のビーム１５ａの先端部分（図１１の右端部分）の上方位置において、第２のビーム１５ｂの前方側（図１１の右方側）に位置している。
【００５０】
これに対して、図１３のように閉塞位置にある開閉蓋カバー１２が後方押込位置に移動された場合には、当該開閉蓋カバー１２の挿入突板部１２ｃが、第１のビーム１５ａと第２のビーム１５ｂとの間のビーム介在片部１１ｄの凹状空間部の内方に差し込まれるようになっている。このように開閉蓋カバー（開閉蓋部材）１２が後方押込位置まで移動された状態においては、導電コンタクト１５の第２のビーム（上ビーム）１５ｂが、本体ハウジング１１のビーム介在片部１１ｄを介して開閉蓋カバー１２の一部に接触可能となる構成が採用されている。
【００５１】
このとき、開閉蓋カバー１２の回動軸１２ａは、軸受け部１３に対して遊嵌状態になされているとともに、挿入突板部１２ｃが挿入ガイド部１４ｂに接触していないため、開閉蓋カバー１２は比較的自由に移動可能な状態となっている。そのため、上述したように導電コンタクト１５の第１のビーム１５ａから信号伝送媒体（ＦＰＣ又はＦＦＣ等）Ｆが受ける接点荷重によって、当該信号伝送媒体Ｆを介して開閉蓋カバー１２の挿入突板部１２ｃが上方に押し上げられるように移動することとなり、その開閉蓋カバー１２が本体ハウジング１１のビーム介在片部１１ｄに圧接することによって、上述した接点荷重が導電コンタクト１５の第２のビーム１５ｂに伝えられて受けられる構成になされている。その結果、接点荷重が相殺されることとなって、導電コンタクト１５の基板接続部１５ａ２にかかる負荷が低減される。
【００５２】
また、後方押込位置まで移動された開閉蓋カバー１２は、ロック部を構成している係合フック部１２ｄ及び係止突部１４ｃにより保持されるようになっている。さらに、薄板状の金属製部材からなる開閉蓋カバー１２は、それ自体の補強のために適宜の形状に折り曲げ形成されているが、導電コンタクト１５の接点凸部１５ａ１の直上に位置する部分の開閉蓋カバー１２は、接点荷重による信号伝送媒体Ｆの上方への撓みを防ぐために、折り曲げられることなく信号伝送媒体Ｆと平面状に接触する形態となっている。
【００５３】
以上のような構成を有する本実施形態によれば、開閉蓋部材としての開閉蓋カバー１２を開放状態として、本体ハウジング１１に信号伝送媒体（ＦＰＣ又はＦＦＣ等）Ｆを載置した後に、開閉蓋カバー（開閉蓋部材）１２が導電コンタクト１５の第１のビーム１５ａと第２のビーム１５ｂとの間に挿入される。そのため、本体ハウジング１１の内部が完全に開放された状態で信号伝送媒体Ｆの載置作業が行われ、信号伝送媒体Ｆは、導電コンタクト１５等に邪魔されることなく容易に載置される。また、信号伝送媒体Ｆは、導電コンタクト１５の接点凸部１５ａ１の上に載置された後に移動することなく元の載置位置に維持され、導電コンタクト１５の第１のビーム１５ａと第２のビーム１５ｂとの間に挿入されることがないので、信号伝送媒体Ｆに形成された配線パターンと導電コンタクト１５の接点凸部１５ａ１との擦れ等による、例えばめっき剥がれなどの発生はない。
【００５４】
また、閉塞状態とした開閉蓋カバー１２を、例えば指先で容易に移動させて第１のビーム１５ａと第２のビーム１５ｂとの間に挿入させることによって、第１のビーム（下ビーム）１５ａから信号伝送媒体Ｆに負荷される圧接力が、開閉蓋カバー１２を介して第２のビーム（上ビーム）１５ｂ側に受けられ、その結果、信号伝送媒体Ｆの変位が抑えられることとなって、信号伝送媒体Ｆと導電コンタクト１５との電気的な接続状態が安定的に維持される。
【００５５】
さらに、本実施形態においては、導電コンタクト１５の第２のビーム（上ビーム）１５ｂが、開閉蓋カバー（開閉蓋部材）１２に対して本体ハウジング１１の一部を構成しているビーム介在片部１１ｄを介して接触可能になされているため、第１のビーム（下ビーム）１５ａから信号伝送媒体Ｆに負荷される圧接力が、本体ハウジング１１のビーム介在片部１１ｄを介して第２のビーム（上ビーム）１５ｂ側に伝達されることから、導電コンタクト１５に加えて本体ハウジング１１による支持構造が構成されることとなって電気的な接続強度が向上される。
【００５６】
さらにまた、本実施形態においては、開閉蓋カバー（開閉蓋部材）１２が金属材料から形成されて導電性を有することから、当該開閉蓋カバー１２が、例えば接地用のグランド部材や、導電コンタクトのシールド部材として用いることが可能となっている。
【００５７】
また、本実施形態における軸受け部１３は、本体ハウジング１１に取り付けられて印刷配線基板Ｂに半田接合されるホールドダウン１４に設けられていることから、印刷配線基板Ｂに半田接合されるホールドダウン１４によって開閉蓋カバー（開閉蓋部材）１２の軸受け部１３が直接的かつ強固に保持される。
【００５８】
さらに、本実施形態におけるホールドダウン１４には、開閉蓋カバー（開閉蓋部材）１２の移動を案内する挿入ガイド部１４ｂが設けられていることから、開閉蓋カバー１２の移動操作が円滑かつ確実に行われる。
【００５９】
さらにまた、本実施形態におけるホールドダウン１４及び開閉蓋カバー（開閉蓋部材）１２には、開閉蓋カバー１２を一定位置に保持するロック部として係合フック部１２ｄ及び係止突部１４ｃが設けられていることから、開閉蓋カバー１２が移動後の一定位置に確実に保持されることなり、信号伝送媒体Ｆと導電コンタクト１５との電気的な接続状態が、より安定的に維持される。
【００６０】
また、本実施形態においては、本体ハウジング１１に、信号伝送媒体Ｆの載置位置を位置合わせする媒体案内凸部１１ｂが設けられ、その媒体案内凸部１１ｂには、当該媒体案内凸部１１ｂにより位置合わせされた信号伝送媒体Ｆと軽嵌合する媒体仮保持部１１ｃが設けられていることから、本体ハウジング１１に対して信号伝送媒体Ｆが媒体案内凸部１１ｂにより容易かつ確実に載置されるとともに、媒体案内凸部１１ｂの媒体仮保持部１１ｃにより保持された信号伝送媒体Ｆに対して開閉蓋カバー（開閉蓋部材）１２の移動操作が円滑かつ確実に行われるとともに、信号伝送媒体Ｆの係止作用によって、当該信号伝送媒体Ｆの引張保持強度が向上される。また、信号伝送媒体Ｆが、導電コンタクト１５の接点凸部１５ａ１の上に載置された後に移動することなく元の載置位置に維持され、導電コンタクト１５の第１のビーム１５ａと第２のビーム１５ｂとの間に挿入されることがないことから、信号伝送媒体Ｆに形成された配線パターンと導電コンタクト１５の接点凸部１５ａ１との擦れ等による、例えばめっき剥がれなどの発生が防止される。
【００６１】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００６２】
例えば、上述した実施形態においては、信号伝送媒体に対する導電コンタクト１５の接点部が第１のビーム（下ビーム）１５ａに設けられているが、第２のビーム（上ビーム）１５ｂに設けた構成とすることも可能である。
【００６３】
また、上述した各実施形態では、電気コネクタに固定される信号伝送媒体として、フレキシブル・プリンテッド・サーキット（ＦＰＣ）、及びフレキシブル・フラット・ケーブル（ＦＦＣ）を採用しているが、その他の信号伝送用媒体等を用いた場合に対しても本発明は同様に適用することができる。
【００６４】
さらに、上述した実施形態にかかる電気コネクタは、同一形状の導電コンタクトを用いたものであるが、形状が異なる導電コンタクトを用いたものであっても本発明は同様に適用することが可能である。
【産業上の利用可能性】
【００６５】
本発明は、各種電気機器に使用する多種多様な電気コネクタに対して広く適用することが可能である。
【符号の説明】
【００６６】
１０  電気コネクタ
１１  本体ハウジング
１１ａ  媒体受面
１１ｂ  媒体案内凸部
１１ｃ  媒体仮保持部
１１ｄ  ビーム介在片部
１２  開閉蓋カバー（開閉蓋部材）
１２ａ  回動軸
１２ｂ  側端板
１２ｃ  挿入突板部
１２ｄ  係合フック部（ロック部）
１３  軸受け部
１４  ホールドダウン
１４ａ  接続脚板
１４ｂ  挿入ガイド部
１４ｃ  係止突部（ロック部）
１５  導電コンタクト
１５ａ  第１のビーム（下ビーム）
１５ａ１  接点凸部
１５ａ２  基板接続部
１５ｂ  第２のビーム（上ビーム）
１５ｃ  連結支柱ビーム
Ｂ  印刷配線基板
Ｆ  信号伝送媒体（ＦＰＣ又はＦＦＣ等）
Ｆａ  係合凹部
【図１】
0005482388.tif 000002
【図２】
0005482388.tif 000003
【図３】
0005482388.tif 000004
【図４】
0005482388.tif 000005
【図５】
0005482388.tif 000006
【図６】
0005482388.tif 000007
【図７】
0005482388.tif 000008
【図８】
0005482388.tif 000009
【図９】
0005482388.tif 000010
【図１０】
0005482388.tif 000011
【図１１】
0005482388.tif 000012
【図１２】
0005482388.tif 000013
【図１３】
0005482388.tif 000014
【図１４】
0005482388.tif 000015
【図１５】
0005482388.tif 000016
【図１６】
0005482388.tif 000017